(57)【特許請求の範囲】
【請求項１】
一側に延設方向に沿った一定の開口幅で開口を有し該開口内部に延設方向に沿ったガイド溝を有する取付レールと、  前記ガイド溝に取り付けられ一側面に前記開口に臨む雌ねじ部を有する取付ナットと、を備えたレール・ナット装置であって、  前記ガイド溝は、前記延設方向に直交する断面が円弧状凹面で形成され、  前記開口は、前記円弧状凹面の直径よりも幅が狭く形成され、  前記取付ナットは、前記ガイド溝の直径と同等の直径の円弧状凸面と前記一側面及び該一側面に平行な他側面を有する断面に形成され、  前記取付ナットの一側面及び他側面間の幅は、前記取付レールにおける開口の開口幅よりも小さく設定された、  ことを特徴とするレール・ナット装置。
【請求項２】
請求項１記載のレール・ナット装置であって、
前記取付ナットは、該取付ナットに締結固定する他部材を前記取付レールの開口両縁部に係合させて回り止めを行う、
ことを特徴とするレール・ナット装置。
【請求項３】
請求項１又は２記載のレール・ナット装置であって、
前記取付ナットの端面に、多角形断面の回転操作用工具を係合させる多角形断面の係合穴を設けた、
ことを特徴とするレール・ナット装置。
【発明の詳細な説明】
【技術分野】
【０００１】  本発明は、各種センサ、カウンタ、カメラ等を支持するために用いられるレール・ナット装置に関する。
【背景技術】
【０００２】  従来のこの種の装置としては、例えば特許文献１に示すものがある。【０００３】  この装置は、開口を備えた取付レールとこの取付レールにばねの弾発力を利用して取り付けられる取付ナットとを備えたものである。【０００４】  従って、取付ナットを取付レールの開口からワンタッチで取り付けることができ、この取付ナットに取付ボルトを締結することで、各種センサ、カウンタ、カメラ等を支持させることができる。【０００５】  しかし、取付ナットの取り付けをワンタッチで行わせるためにばねを利用しており、部品点数が増大し、組み付け、部品管理が煩雑であるという問題がある。【０００６】
【特許文献１】特開２００１−３５５６２４号公報
【発明の開示】
【発明が解決しようとする課題】
【０００７】  本発明が解決しようとする課題は、取付ナットの取り付けをワンタッチで行わせるためにばねを利用しており、部品点数が増大し、組み付け、部品管理が煩雑な点にある。
【課題を解決するための手段】
【０００８】  本発明は、部品点数を減少するため、一側に延設方向に沿った一定の開口幅で開口を有し該開口内部に延設方向に沿ったガイド溝を有する取付レールと、前記ガイド溝に取り付けられ一側面に前記開口に臨む雌ねじ部を有する取付ナットとを備えたレール・ナット装置であって、前記ガイド溝は、前記延設方向に直交する断面が円弧状凹面に形成され、前記開口は、前記ガイド溝の直径よりも幅が狭く形成され、前記取付ナットは、前記ガイド溝の直径と同等の直径の円弧状凸面と前記一側面及び該一側面に平行な他側面を有する断面に形成され、前記取付ナットの一側面及び他側面間の幅は、前記取付レールにおける開口の開口幅よりも小さく設定されたことを最も主な特徴とする。
【発明の効果】
【０００９】  本発明では、一側に延設方向に沿った一定の開口幅で開口を有し該開口内部に延設方向に沿ったガイド溝を有する取付レールと、前記ガイド溝に取り付けられ一側面に前記開口に臨む雌ねじ部を有する取付ナットとを備えたレール・ナット装置であって、前記ガイド溝は、前記延設方向に直交する断面が円弧状凹面に形成され、前記開口は、前記ガイド溝の直径よりも幅が狭く形成され、前記取付ナットは、前記ガイド溝の直径と同等の直径の円弧状凸面と前記一側面及び該一側面に平行な他側面を有する断面に形成され、前記取付ナットの一側面及び他側面間の幅は、前記取付レールにおける開口の開口幅よりも小さく設定された。【００１０】  このため、取付レールに対する取付ナットの取り付けは、取付ナットを取付レールの開口に対し一側面及び該一側面に平行な他側面を立てるように配置してガイド溝に挿入し、挿入後に回転させてガイド溝の円弧状凹面に取付ナットの円弧状凸面を嵌合させ、取付レールに取付ナットを組み付けることができる。【００１１】  従って、ばねを不要とし、部品点数の減少により組み付け、組み付け、部品管理が容易となる。
【発明を実施するための最良の形態】
【００１２】  部品点数を減少するという目的を、ガイド溝の円弧状凹面と取付ナットの太鼓断面とによって実現した。
【実施例１】
【００１３】  図1は本発明の実施例１に係るレール・ナット装置を示す平面図、図２は、図１のＩＩ−ＩＩ線矢視における断面図、図３は、組み付け手順を示し、（ａ）は、挿入前の対向状態を示す断面図、（ｂ）は、挿入後の状態を示す断面図である。［レール・ナット装置の構成］  レール・ナット装置１は、図１、図２のように、取付レール３及び取付ナット５を備えている。【００１４】  前記取付レール３は、アルミニューム、その他の金属、或いは樹脂などで形成され、一側に延設方向に沿った一定の開口幅Ｂの開口７を有し、該開口７内部に延設方向に沿った一様断面のガイド溝９を有している。ガイド溝９は、前記延設方向に直交する断面が円弧状凹面１１で形成され、開口７は、前記円弧状凹面１１の直径Ｄ１よりも開口幅Ｂが狭く形成されている。取付レール３の両端部には、締結固定用の締結孔１３，１５が設けられている。【００１５】  前記取付ナット５は、アルミニューム、その他の金属、或いは樹脂などで形成され、前記ガイド溝９に取り付けられ一側面１７に前記開口７に臨む雌ねじ部１９を有している。本実施例では、一側面１７及び該一側面１７に平行な他側面２１に渡って雌ねじ部１９が貫通形成され、他側面２１にも雌ねじ部１９が形成された構成となっている。従って、取付ナット５は、一側面１７及び他側面２１の何れも開口７側に向けることができ、開口７に向いた面が一側面となる。【００１６】  前記取付ナット５は、前記円弧状凹面１１の直径Ｄ１と同等の直径Ｄ２の円弧状凸面２３，２５と前記一側面１７及び他側面２１を有する対称形状の断面として太鼓状断面に形成されている。前記取付ナット５の一側面１７及び他側面２１間の幅Ｈは、前記取付レール３における開口７の開口幅Ｂよりも小さく設定されている。取付ナット５の端面には、多角形断面、例えば六角形断面の回転操作用工具である六角レンチを係合させる多角形断面である六角形断面の係合穴２７が設けられている。［組み付け］  前記取付ナット５は、図３のようにして取付レール３に組み付けられる。【００１７】  まず、図３（ａ）のように取付レール３の開口７に対し、取付ナット５を立てるようにして対向させる。この対向状態では、取付ナット５の一側面１７及び他側面２１が、開口７に対する挿入方向（矢印Ａ方向）に沿っている。【００１８】  取付ナット５を、矢印Ａ方向に移動させて取付レール３の開口７内に挿入する。このとき、Ｈ＜Ｂの関係により取付ナット５を取付レール３のガイド溝９内への挿入を無理なく行わせることができる。【００１９】  挿入後に開口７から取付ナット５の端面の係合穴２７に六角レンチの端部を挿入係合させ、六角レンチの回転操作で取付ナット５を図３（ｂ）のように円弧状凹面１１内で自転させる。このとき、円弧状凹面１１の直径Ｄ１と同等の直径Ｄ２の円弧状凸面２３，２５により、取付ナット５は円弧状凹面１１内で無理なく回転することができる。【００２０】  この取付ナット５の回転により取付ナット５を取付レール３に対して図１、図２のように組み付けることができる。［各種センサ等の支持］  図１、図2のように組み付けた取付ナット５に対し、金属或いは樹脂などで形成された他部材である取付板２９を介して支持ロッド３１を雌ねじ部１９に締結させる。この締結により、取付板２９は、取付レール３に対して押し付けられ、取付ナット５の取付レール３に対する回り止めが行われる。【００２１】  この状態で前記支持ロッド３１が取付レール３に対して起立姿勢を保持し、この支持ロッド３１に、各種センサ、カウンタ、カメラ等を支持させることができる。【００２２】  取付レール３に対する各種センサ等の位置変更は、支持ロッド３１の取付ナット５に対する締結を解除することで行うことができる。支持ロッド３１の締結を解除すると、取付板２９の取付レール３に対する押し付けが解除されるので、取付ナット５を取付レール３に対してスライド移動させることができる。このスライド移動により支持ロッド３１に支持された各種センサ等の支持位置の変更を行わせることができる。【００２３】  なお、支持ロッド３１に代えたボルトにより取付板２９を取付ナット５に締結し、この取付板２９に各種機器、その他を支持させる構成にすることもできる。【００２４】  又、支持ロッド３１及び取付板２９双方に各種機器その他を支持させる構成にすることもできる。［実施例の効果］  本発明実施例では、一側に延設方向に沿った一定の開口幅Ｂで開口７を有し該開口７内部に延設方向に沿ったガイド溝９を有する取付レール３と、前記ガイド溝９に取り付けられ一側面１７に前記開口７に臨む雌ねじ部１９を有する取付ナット５とを備えたレール・ナット装置１であって、前記ガイド溝９は、前記延設方向に直交する断面が円弧状凹面１１で形成され、前記開口７は、前記円弧状凹面１１の直径Ｄ１よりも幅Ｂが狭く形成され、前記取付ナット５は、前記ガイド溝９の直径Ｄ１と同等の直径Ｄ２の円弧状凸面２３，２５と前記一側面１７及び該一側面１７に平行な他側面２１を有する太鼓状断面に形成され、前記取付ナット５の一側面１７及び他側面２１間の幅Ｈは、前記取付レール３における開口７の開口幅Ｂよりも小さく設定された。【００２５】  このため、取付レール３に対する取付ナット５の取り付けは、取付ナット５を取付レール３の開口７に対し一側面１７及び該一側面１７に平行な他側面２１を立てるように配置してガイド溝９に挿入し、挿入後に回転させてガイド溝９の円弧状凹面１１に取付ナット５の円弧状凸面２３，２５を嵌合させ、取付レール３に取付ナット５を組み付けることができる。【００２６】  従って、ばねを不要とし、部品点数の減少により組み付け、組み付け、部品管理が容易となる。【００２７】  前記取付ナット５は、該取付ナット５に締結固定する取付板２９を前記取付レール３の開口７両縁部に係合させて回り止めを行う。【００２８】  このため、取付ナット５を用いたセンサ等の支持を容易に行わせることができる。【００２９】  前記取付ナット５の端面に、六多角形断面の六角レンチを係合させる六角形断面の係合穴２７を設けた。【００３０】  このため、六角レンチにより取付ナット５の回転操作を行わせ、組付を容易に行うことができる。［その他］  取付ナット５の雌ねじ部１９は、複数形成することができる。【００３１】  取付ナット５は、対象形状の太鼓状断面としたが、Ｈ＜Ｂの関係を保持する非対称の断面形状にすることも可能でる。【００３２】  取付レール��の円弧状凹面１１に凹部を形成し、取付レール３の軽量化を図ることもできる。【００３３】  取付ナット５の回転操作は、その他の形状の工具及び係合穴等により行わせることもできる。
【図面の簡単な説明】
【００３４】
【図１】レール・ナット装置を示す平面図である。（実施例１）
【図２】図１のＩＩ−ＩＩ線矢視断面図である。（実施例１）
【図３】（ａ）は、挿入前の対向状態を示す断面図、（ｂ）は、挿入後の状態を示す断面図である。（実施例１）
【符号の説明】
【００３５】  １ レール・ナット装置  ３ 取付レール  ５ 取付ナット  ７ 開口  ９ ガイド溝  １１ 円弧状凹面  １７ 一側面  ２１ 他側面  ２３，２５ 円弧状凸面  ２７ 係合穴  ２９ 取付板（他部材）  Ｂ 開口幅  Ｈ 一側面及び他側面間の幅
【図１】
0004885106.tif 000002
【図２】
0004885106.tif 000003
【図３】
0004885106.tif 000004